【事件の表示】
　特許第３０８０６８２号「スチルカメラのデータ書込方式」の請求項１、２に係る特許に対する特許異議の申立てについて、次のとおり決定する。
【結　論】
　訂正を認める。
　特許第３０８０６８２号の請求項１に係る特許を維持する。
【理　由】
１．手続の経緯
　
　本件に係る特許第３０８０６８２号の特許請求の範囲（請求項の数２）に記載された発明は、平成３年５月１４日に出願され、平成１２年６月２３日にその特許の設定登録がなされ、その後、異議申立人溝呂木寛より特許異議の申立がなされ、取消理由通知がなされ、その指定期間内である平成１３年７月１７日に訂正請求がなされたものである。
　
　
２．訂正請求の適否について
　
（１）訂正の内容
（ア）訂正事項ａ
　本件特許第３０８０６８２号の明細書の特許請求の範囲の請求項１を削除し、これに伴い、請求項２の請求項番号を繰り上げ、請求項１と訂正する。
（イ）訂正事項ｂ
　本件特許第３０８０６８２号の明細書の特許請求の範囲の請求項番号を繰り上げた請求項１において、
「複数の画像データ領域よりなる画像データ領域群と各画像データ領域に対応する複数の情報領域よりなる情報領域群とを備えた記憶装置と、当該記憶装置への画像データの書込処理および消去処理を指令する制御装置とを有するスチルカメラのデータ書込方式において、初期処理としてすべての情報領域に第４フラグを設定し、前記書込処理は選定された画像データ領域への画像データの書込みと、この書込みが成功した場合には画像データ領域に対応する情報領域への第１フラグの設定を行い、書込みが失敗した場合には画像データ領域に対応する情報領域への第３フラグの設定を行い、前記消去処理は所定の画像データ領域に対応する情報領域への第２フラグの設定を行い、前記書込処理での画像データ領域の選定は、各情報領域をサーチして、第４フラグが設定された情報領域がある場合には、その情報領域に対応する画像データ領域を選択し、第４フラグが設定された情報領域がなくかつ第３フラグが設定された情報領域がある場合には、その情報領域に対応する画像データ領域を選択し、第４フラグおよび第３フラグが設定された情報領域がなくかつ第２フラグが設定された情報領域がある場合には、その情報領域に対応する画像データ領域を選択することを特徴とするスチルカメラのデータ書込方式。」
とあるのを、
「複数の画像データ領域よりなる画像データ領域群と各画像データ領域に対応する複数の情報領域よりなる情報領域群とを備えた記憶装置と、当該記憶装置への画像データの書込処理および消去処理を指令する制御装置とを有するスチルカメラのデータ書込方式において、
　初期処理としてすべての情報領域に第４フラグを設定し、
　前記書込処理は選定された画像データ領域に対応する情報領域へ第３フラグを設定し、選定された画像データ領域へ画像データを書込み、この書込みが成功した場合には画像データ領域に対応する情報領域への第１フラグの再設定を行い、
　前記消去処理は所定の画像データ領域に対応する情報領域への第２フラグの設定を行い、
　前記書込処理での画像データ領域の選定は、各情報領域をサーチして、第４フラグが設定された情報領域がある場合には、その情報領域に対応する画像データ領域を選択し、第４フラグが設定された情報領域がなくかつ第３フラグが設定された情報領域がある場合には、その情報領域に対応する画像データ領域を選択し、第４フラグおよび第３フラグが設定された情報領域がなくかつ第２フラグが設定された情報領域がある場合には、その情報領域に対応する画像データ領域を選択する
　ことを特徴とするスチルカメラのデータ書込方式。」
と訂正する。
　
（２）訂正の目的の適否、新規事項の有無および拡張・変更の存否
　上記訂正事項ａは、訂正前の請求項１を削除するものであるから、特許請求の範囲の減縮を目的とした明細書の訂正に該当し、新規事項の追加に該当せず、実質上特許請求の範囲を拡張し、または変更するものとも認められない。
　また、上記訂正事項ｂは、訂正前の請求項２に記載されていた「書込処理」を、「書込処理は選定された画像データ領域に対応する情報領域へ第３フラグを設定し、選定された画像データ領域へ画像データを書込み、この書込みが成功した場合には画像データ領域に対応する情報領域への第１フラグの再設定を行」うと限定するものであり、これは願書に添付した明細書の第【００１０】欄に記載されていた事項である。よって上記訂正事項ｂは、特許請求の範囲の減縮を目的とするものであり、また、新規事項の追加に該当せず、実質上特許請求の範囲を拡張し、または変更するものとも認められない。
　
（３）むすび
　したがって、上記訂正事項ａおよびｂは、特許法第１２０条の４第２項、および同条第３項で準用する平成６年法改正前の同法第１２６条第１項ただし書および第２項の規定に適合するので、当該訂正を認める。
　
　
３．特許異議の申立てについて
　
（１）申立ての理由の概要
　特許異議申立人溝呂木寛は、証拠として甲第１号証：特開昭６１−２６０３３９号公報、甲第２号証：特開平０１−１５８５４９号公報を提出し、特許第３０８０６８２号の請求項１および２に係る発明は、甲第１号証および甲第２号証に記載の発明に基づいて当業者が容易に発明をすることができたものであり、特許法第２９条第２項の規定する要件を満たしておらず、また、本件特許明細書の「発明の詳細な説明」はその発明の属する技術の分野における通常の知識を有する者が容易にその実施をすることができる程度に明確かつ十分に記載されておらず、さらに、本件請求項２の記載は発明を特定するために必要な事項を欠き、特許法第３６条第４項および第５項の規定する要件を満たしていないものであるから、特許を取り消すべき旨主張をしている。
　
（２）本件訂正発明
　本件特許第３０８０６８２号の請求項１に係る発明は、平成１３年７月１７日付け訂正明細書の特許請求の範囲の請求項１に記載された事項により特定される次に掲げるとおりのもの（以下「本件訂正発明」という。）である。
「【請求項１】複数の画像データ領域よりなる画像データ領域群と各画像データ領域に対応する複数の情報領域よりなる情報領域群とを備えた記憶装置と、当該記憶装置への画像データの書込処理および消去処理を指令する制御装置とを有するスチルカメラのデータ書込方式において、
　初期処理としてすべての情報領域に第４フラグを設定し、
　前記書込処理は選定された画像データ領域に対応する情報領域へ第３フラグを設定し、選定された画像データ領域へ画像データを書込み、この書込みが成功した場合には画像データ領域に対応する情報領域への第１フラグの再設定を行い、
　前記消去処理は所定の画像データ領域に対応する情報領域への第２フラグの設定を行い、
　前記書込処理での画像データ領域の選定は、各情報領域をサーチして、第４フラグが設定された情報領域がある場合には、その情報領域に対応する画像データ領域を選択し、第４フラグが設定された情報領域がなくかつ第３フラグが設定された情報領域がある場合には、その情報領域に対応する画像データ領域を選択し、第４フラグおよび第３フラグが設定された情報領域がなくかつ第２フラグが設定された情報領域がある場合には、その情報領域に対応する画像データ領域を選択する
　ことを特徴とするスチルカメラのデータ書込方式。」
　
（３）引用刊行物に記載された発明
（ア）当審が通知した取消理由で引用した刊行物１：特開昭６１−２６０３３９号公報（上記甲第１号証）には、「ファイル管理方法」（以下「刊行物１の発明」という。）に関し、以下の事項が記載されている。
「第２図は本発明を構成するファイル管理システムのブロック図である。第２図において、３０は第５図におけるディレクトリ１８を検索して空エントリ（空領域）を管理する空エントリ管理部、３２は空エントリ管理部３０の指示に従った領域にデータを格納するためのデータ書込部、３４はディレクトリ１８中の保存中エントリを検索するための保存中エントリ管理部、３６は記憶装置が満杯になった場合の保存中エントリの解放処理を指示するための満杯時処理選択部、３８は保存中エントリ管理部３４で指示されたエントリ及びそれに係るすべてのデータを二次記憶装置１７に再保存するための再保存部、４０は保存中エントリ管理部３４で指示されたエントリを解放する保存中エントリ解放部である。あるファイルが削除されると、保存中エントリ管理部３４が、第１図で述べたフラグ２２を数値ｆ３にすると共に、世代管理コード２４を最新の数値に設定して保存中エントリとして登録する。また、新たにデ−タが書き込まれる際は、まず空エントリ管理部３０がすべてのエントリを検索してフラグ２２に未使用（数値ｆ２）のものがあるかどうか調べ、あればデータ書込部３２に対して書込指示を行う。空エントリがなければ、保存中エントリ管理部３４に指令を出して保存中エントリがあるかどうか調べる。保存中エントリがあれば、保存中エントリ管理部３４は世代管理コード２４を検索し、最も古いエントリを選び出し、満杯時処理選択部３６に指令を出して、該エントリの処理を決定する。満杯時処理選択部３６は、再保存するときは再保存部３８に指令を出して、該エントリ及びそのデータ部を二次記憶装置１７に転送する。その後保存中エントリ解放部４０が該エントリのフラグ２２を未使用状態（数値ｆ２）にすると共に、世代管理コ−ド２４を数値Ｃ０にリセットする。」（３頁右下欄１行ないし４頁左上欄１５行）
　
（イ）当審が通知した取消理由で引用した刊行物２：特開平０１−１５８５４９号公報（上記甲第２号証）には、「電子装置」（以下「刊行物２の発明」という。）に関し、以下の事項が記載されている。
「この発明に係る電子装置は、データ記憶手段にデータが書込まれるごとに、誤り検出に用いられるデータを更新して記憶しておき、誤り検出指示があったとき、記憶している誤り検出に用いられるデータに基づいて、データ記憶手段の記憶内容に誤りがあるか否かを検出する。」（２頁右上欄１行ないし６行）
「第１図はこの発明の一実施例の主な電気的構成を示す概略ブロック図であり、第２図は第１図に示すＲＡＭのメモリ構成を示す図解図である。次に、第１図および第２図を参照して、この発明の一実施例の構成について説明する。電子装置１には、ＣＰＵ２、ＲＡＭ３、周辺装置制御部４、デコーダ回路５および複数のフリップフロップ６ａ〜６ｎが設けられる。ＲＡＭ３は第２図に示すように、データエリア３１、プログラムエリア３２およびサム値格納エリア３３を含む。」（２頁右上欄８行ないし１８行）
「たとえば、ＰＬＵファイルの先頭のＰＬＵコードがアクセスされて、そのＰＬＵコードに対応する売上げ個数データと売上げ金額データとが更新される場合には、フリップフロップ６ａがセットされ、フリップフロップ６ａのＱ出力端子から２値情報”１”が出力される。この２値情報は書込フラグとして用いられる。」（２頁右下欄７行ないし１３行）
「ＲＡＭ３の当該記憶エリアにデータが書込まれた場合には、上述したように書込フラグがセットされる。そして、タイマ割込が発生すると、サムチェックサブルーチンに進む。サムチェックサブルーチンでは、まず、書込フラグがセットされているか否かが判別される。書込フラグがセットされていれば、ＣＰＵ２は当該記憶エリアのサム値を計算し直して、サム値格納エリア３３に格納し、続いて、周辺装置制御部４により書込フラグをリセットする。次回のタイマ割込までに、当該記憶エリアにデータ書込が行なわれなければ、タイマ割込時に書込フラグがセットされていないことが判別される。」（３頁左上欄８行ないし２０行）
　
（ウ）当審が通知した取消理由で引用した刊行物３：特開平０２−２２２３８４号公報、および刊行物４：特開平３−３６８８６号公報には、それぞれ、スチルカメラにおいて画像データを記憶装置に記憶すること（以下、それぞれ「刊行物３の発明」「刊行物４の発明」という。）が記載されている。
　
（４）本件訂正発明と引用刊行物発明との対比・判断
　本件訂正発明と刊行物１ないし４の発明とを対比・検討すると、刊行物１ないし４の発明は、本件訂正発明における次に掲げる主要な事項（ア）および（イ）を具備していないし、刊行物１ないし４には、この主要な事項を示唆する記載もされていない。
　
（ア）書込処理は選定された画像データ領域に対応する情報領域へ第３フラグを設定し、選定された画像データ領域へ画像データを書込み、この書込みが成功した場合には画像データ領域に対応する情報領域への第１フラグの再設定を行う点
（イ）画像データ領域へ画像データが書き込まれる際に設定される第１フラグ、画像データ領域から画像データを削除するための消去処理の際に設定される第２フラグ、未使用の画像データ領域に対して設定される第４フラグに加え、画像データ領域への画像データの書込が失敗した際に設定される第３フラグを備え、第４フラグ、第３フラグ、第２フラグの順位で書込処理での画像データ領域の選定を行う点
　
　そして、上記（ア）および（イ）の主要な事項により、本件訂正発明は、書込の失敗を示す第３フラグを設定でき、画像復活の可能性をより大きくできるとの格別の効果を奏するものである。
　したがって、本件訂正発明は、刊行物１ないし４の発明に基いて当業者が容易に発明をすることができたものとは認められない。
　
（５）申立人が主張する記載不備についての検討
　申立人溝呂木寛は申立ての理由において、訂正前の本件請求項１に記載された「初期処理としてすべての情報領域に第４フラグを設定し」なる構成が、「発明の詳細な説明」にその発明の属する技術分野における通常の知識を有する者が容易にその実施をすることができる程度に明確かつ十分に記載されていない旨、および、当該構成は訂正前の本件請求項２に係る発明を特徴付ける重要な構成であるから、訂正前の本件請求項２に係る発明を特定するために必要な事項を欠く旨指摘している。
　この点について検討する。
　明細書の「第４フラグは未使用の画像データ領域に対して設定される」（【０００８】欄）、および「処理としては、まず、各画像データ領域に対応した情報領域を調べて、未使用画像データ領域がないかをサーチする。つまり、未使用画像データ領域の情報領域に設定された第４フラグがないかを調べるのである。」（【０００９】欄）なる記載から、予め未使用状態で第４フラグが設定されていることは明らかであり、また「初期処理としてすべての情報領域に第４フラグを設定」することが、当業者にとって技術的に困難であるとも認められない。
　よって、発明の詳細な説明に、その発明の属する技術の分野における通常の知識を有する者が容易にその実施をすることができる程度に明確かつ十分に記載されていないとは言えず、したがって、これを根拠として本件特許請求の範囲が、発明を特定するために必要な事項を欠くということもできない。
　
（６）むすび
　以上のとおりであるから、特許異議申立の理由及び証拠によっては、本件請求項１に係る発明の特許を取り消すことはできない。
　また、他に本件請求項１に係る発明の特許を取り消すべき理由を発見しない。
　
　よって結論のとおり決定する。
【異議決定日】
平成１３年９月１７日（２００１．９．１７）
【訂正の要旨】
ａ．特許請求の範囲の減縮を目的として、特許第３０８０６８２号の明細書の特許請求の範囲の【請求項１】を削除する。これに伴い、【請求項２】の請求項番号を繰り上げ、【請求項１】と訂正する。
ｂ．特許第３０８０６８２号の明細書の特許請求の範囲の請求項番号を繰り上げた【請求項１】において、
　「　複数の画像データ領域よりなる画像データ領域群と各画像データ領域に対応する複数の情報領域よりなる情報領域群とを備えた記憶装置と、当該記憶装置への画像データの書込処理および消去処理を指令する制御装置とを有するスチルカメラのデータ書込方式において、初期処理としてすべての情報領域に第４フラグを設定し、前記書込処理は選定された画像データ領域への画像データの書込みと、この書込みが成功した場合には画像データ領域に対応する情報領域への第１フラグの設定を行い、書込みが失敗した場合には画像データ領域に対応する情報領域への第３フラグの設定を行い、前記消去処理は所定の画像データ領域に対応する情報領域への第２フラグの設定を行い、前記書込処理での画像データ領域の選定は、各情報領域をサーチして、第４フラグが設定された情報領域がある場合には、その情報領域に対応する画像データ領域を選択し、第４フラグが設定された情報領域がなくかつ第３フラグが設定された情報領域がある場合には、その情報領域に対応する画像データ領域を選択し、第４フラグおよび第３フラグが設定された情報領域がなくかつ第２フラグが設定された情報領域がある場合には、その情報領域に対応する画像データ領域を選択することを特徴とするスチルカメラのデータ書込方式。」
とあるのを、
　特許請求の範囲の減縮を目的として、
　「　複数の画像データ領域よりなる画像データ領域群と各画像データ領域に対応する複数の情報領域よりなる情報領域群とを備えた記憶装置と、当該記憶装置への画像データの書込処理および消去処理を指令する制御装置とを有するスチルカメラのデータ書込方式において、
　初期処理としてすべての情報領域に第４フラグを設定し、
　前記書込処理は
選定された画像データ領域に対応する情報領域へ第３フラグを設定し、
へ画
を
み、
再
、
　前記消去処理は所定の画像データ領域に対応する情報領域への第２フラグの設定を行い、
　前記書込処理での画像データ領域の選定は、各情報領域をサーチして、第４フラグが設定された情報領域がある場合には、その情報領域に対応する画像データ領域を選択し、第４フラグが設定された情報領域がなくかつ第３フラグが設定された情報領域がある場合には、その情報領域に対応する画像データ領域を選択し、第４フラグおよび第３フラグが設定された情報領域がなくかつ第２フラグが設定された情報領域がある場合には、その情報領域に対応する画像データ領域を選択する
　ことを特徴とするスチルカメラのデータ書込方式。」
と訂正する。
（５４）【発明の名称】
スチルカメラのデータ書込方式
（５７）【特許請求の範囲】
　【請求項１】　複数の画像データ領域よりなる画像データ領域群と各画像データ領域に対応する複数の情報領域よりなる情報領域群とを備えた記憶装置と、当該記憶装置への画像データの書込処理および消去処理を指令する制御装置とを有するスチルカメラのデータ書込方式において、
　初期処理としてすべての情報領域に第４フラグを設定し、
　前記書込処理は
選定された画像データ領域に対応する情報領域へ第３フラグを設定し、
へ画
を
み、
再
、
　前記消去処理は所定の画像データ領域に対応する情報領域への第２フラグの設定を行い、
　前記書込処理での画像データ領域の選定は、各情報領域をサーチして、第４フラグが設定された情報領域がある場合には、その情報領域に対応する画像データ領域を選択し、第４フラグが設定された情報領域がなくかつ第３フラグが設定された情報領域がある場合には、その情報領域に対応する画像データ領域を選択し、第４フラグおよび第３フラグが設定された情報領域がなくかつ第２フラグが設定された情報領域がある場合には、その情報領域に対応する画像データ領域を選択する
　ことを特徴とするスチルカメラのデータ書込方式。
【発明の詳細な説明】
　【０００１】
　【産業上の利用分野】
　本発明は、スチルカメラにおける記憶媒体へのデータ書込方式に関するものである。
　【０００２】
　【従来の技術】
　ディジタルスチルカメラを用いて撮影した画像データは、撮影順に記録媒体の低位アドレスの領域から高位アドレスの領域に順次記録される。通常の記録媒体は画像データそのものが記録されるエリアと、これを管理するための情報エリアから構成されている。情報エリアには、対応するデータエリアに画像データが記録されているかどうかの情報が設定されている。図４に従来のデータ書込方式の例を示す。この例は、８個の画像データが記録できる記録媒体に、５個の画像データを記録した状態を示している。この状態で、既に記録した画像データを消去する処理は、通常、画像データ自体を書き替えることなく、この画像データに対応する情報エリアの情報だけを書き替えて実現している。図５に、画像データ３を消去した例を示す。この例では、画像データ３に対応する情報エリアは、この領域が空領域であることを認識できる情報に書き替えられる。したがって、新たな撮影によって生成された画像データは、低位アドレスの空領域から順に書き込まれるという原則に従い、画像データ３の領域に書き込まれる。
　【０００３】
　【発明が解決しようとする課題】
　ところで、消去された画像データの中には、使用者が間違えて消去してしまった画像データもあり、後日この画像データを復活させたい場合も生じる。しかし、従来のデータ書込方式では、消去したデータの画像データの残っているデータエリアには、新たな撮影によって生成された画像データが優先的に書き込まれる。このために、消去した画像データの復活が不可能になってしまい問題であった。
　【０００４】
　本発明はこのような問題を解決し、消去した画像データを容易に復活できるデータ書込方式を提供することを目的とする。
　【０００５】
　【課題を解決するための手段】
　上記の課題を解決するために、本発明のデータ書込方式では、書込処理は選定された画像データ領域への画像データの書込みと画像データ領域に対応する情報領域への第１フラグの設定を行い、消去処理は所定の画像データ領域に対応する情報領域への第２フラグの設定を行い、書込処理での書込み対象の画像データ領域の選定は、各情報領域をサーチして、いずれのフラグも設定されていない情報領域がある場合には、その情報領域に対応する画像データ領域を選択し、いずれのフラグも設定されていない情報領域がなくかつ第２フラグが設定された情報領域がある場合には、その情報領域に対応する画像データ領域を選択する。
　【０００６】
　【作用】
　本発明のデータ書込方式によれば、画像データ領域への画像データの書込処理時に、対応する情報領域に第１フラグが設定される。この第１フラグは画像データ領域への上書きを禁止するフラグなので、書込処理での書込み対象の画像データ領域として、このフラグが設定された画像データ領域が選択されることはない。また、画像データ領域からの画像データの消去処理時に、対応する情報領域に第２フラグが設定される。消去処理ではこのフラグの設定だけが行われ、消去対象の画像データは新たな画像データが上書きされた際に消去される。したがって、消去処理をした後であっても、新たな画像データが上書きされるまでは、消去対象の画像データを復活させることができる。ところで、書込処理での書込み対象の画像データ領域の選定は、未使用の画像データ領域が優先的に選択されるので、未使用の画像データ領域がまだ残っている限りは、第２フラグが設定された画像データ領域に新たな画像データが書き込まれることはない。したがって、消去処理後に、いくつかの新規画像データが書き込まれた場合であっても、消去対象の画像データを復活させることができる。
　【０００７】
　【実施例】
　以下、添付図面の図１から図３までを参照して、本発明の一実施例について説明する。
　【０００８】
　本実施例は、ディジタルスチルカメラで撮影した画像データを、ディジタルスチルカメラに内蔵したＩＣメモリカードなどの記憶装置に書き込む方式に関するものである。この記憶装置のメモリマップを図３（ａ）に示す。同図のよれば、記憶装置１０には第１画像データ領域から第８画像データ領域までの８個の画像データ領域群とそれぞれの画像データに対応する第１情報領域から第８情報領域までの８個の情報領域群が備えられている。画像データ領域群および情報領域群の各領域への書込みや読み出しなどのアクセス処理は制御装置２０の指示で行われる。情報領域群の各々の情報領域は、フラグが格納された領域と撮影日時などの付加情報が格納された領域とから構成されている。フラグには、画像データ領域に書き込まれた画像データの重要度によって第１フラグから第４フラグまで４種類のフラグがある。図３（ｂ）に示すようにこれらの４種類のフラグは８ビットのデータとしてそれぞれ定義されている（第１フラグ＝’００００００１１’、第２フラグ＝’００００００１０’、第３フラグ＝’０００００００１’、第４フラグ＝’００００００００’）。ここで、第１フラグは画像データ領域に画像データが書き込まれた際に設定され、第２フラグは画像データ領域から画像データを削除するための消去処理の際に設定される。この消去処理では、実際の画像データの消去は行わず、フラグの設定だけを行う。第３フラグは画像データ領域への画像データの書込みが失敗した際に設定され、第４フラグは未使用の画像データ領域に対して設定される。そして、これらのフラグを用いて、画像データの書込みを行う画像データ領域を特定しているのである。
　【０００９】
　次に、図１および図２のフローチャートを用いて本発明の一実施例に係るデータ書込方式の処理手順について説明する。処理としては、まず、各画像データ領域に対応した情報領域を調べて、未使用画像データ領域がないかをサーチする。つまり、未使用画像データ領域の情報領域に設定された第４フラグがないかを調べるのである。具体的には、画像データ領域へのポインタｎに初期値１を設定し（ステップ１００）、第１画像データ領域に対応した第１情報領域に第４フラグが設定されているかを調べる（ステップ１０１）。第４フラグが設定されていればステップ１１３に処理を移し、設定されていなければポインタｎをインクリメントして（ステップ１０２）、ポインタｎが８未満であれば（ステップ１０３）ステップ１０１に処理を戻す。その後ステップ１０１から処理を継続させ、第２情報領域以降に第４フラグが設定されているかを調べる。第８情報領域までに第４フラグが設定されていない場合には、ステップ１０３でポインタｎが８となり、ステップ１０４に処理を移す。ステップ１０４からステップ１０７までの処理は、画像データの書込みに失敗した画像データ領域がないかをサーチして行う。つまり、ステップ１００からステップ１０３までのループ処理と同様の処理をすることによって、いずれかの情報領域に第３フラグが設定されていないかを調べるのである。この処理で第３フラグが設定された情報領域があることが判明した場合には、ステップ１１３に処理を移す。ステップ１０８からステップ１１１までの処理も今までと同様、各情報領域に第２フラグがないかを調べ、消去処理された画像データ領域をサーチする。以上の３つのループ処理で第２〜４フラグが発見されない場合は、すべての情報領域に第１フラグが設定されているものと判断する。この状態はすべての画像データ領域に画像データが書き込まれているので、空領域なしとみなして処理を終了する（ステップ１１２）。第２〜４フラグが発見された場合はステップ１１３に処理を移し、ポインタ番号をｎとする。
　【００１０】
　次に、撮影の要求があるまで処理を待機させ（ステップ１１４）、撮影の要求があった場合にポインタ番号が示す画像データ領域の情報領域に第３フラグを設定する（ステップ１１５）。あらかじめ第３フラグを設定しておくことによって、画像データの書込みが失敗した場合にこのフラグが設定されることになる。次に撮影が開始され（ステップ１１６）、風景や人物などの画像データがポインタ番号が示す画像データ領域に書き込まれる。そして、撮影の終了によって撮影が終了する（ステップ１１８）。さらに、日付等の付加情報をポインタ番号が示す画像データ領域の情報領域に格納する（ステップ１１９）。書込みが正常であれば、この情報領域に第１フラグを再設定する（ステップ１２０）。もしステップ１１６からステップ１２０の間で、例えばバッテリを外したために処理が終わったとしても、ステップ１１５で設定した第３フラグが残っているので、その画像データ領域が書込みに失敗した領域であることがわかる。
　【００１１】
　【発明の効果】
　以上、詳細に説明した通り本発明のデータ書込方式であれば、新たな画像データの書込みは、未使用の画像データ領域が優先的に選択されて行われる。したがって、未使用の画像データ領域がある限りは、消去処理された画像データ領域に新たな画像データが書き込まれることはない。
　【００１２】
　このように、消去処理された画像データ領域への画像データの書込みを遅延させることによって消去対象の画像データが保存できるので、消去処理後に、いくつかの新規画像データが書き込まれた場合であっても、消去対象の画像データを復活させることができる。
【図面の簡単な説明】
　【図１】
　本実施例のデータ書込方式の流れ図である。
　【図２】
　本実施例のデータ書込方式の流れ図である。
　【図３】
　本実施例の記憶装置のメモリマップを示す概念図である。
　【図４】
　従来例の記憶装置のメモリマップを示す概念図である。
　【図５】
　従来例の記憶装置のメモリマップを示す概念図である。
　【符号の説明】
　１０…記憶装置
　２０…制御装置